(57)【要約】【課題】ガラス板として構成された充填物を収容する、環状に延びる、大抵は金属成形材より成る扉と、開放式の間仕切り又は、冬園（ガラス張りの室内庭園）、店舗入口、ガラス張りのバルコニーにおいて空間を閉鎖するための、大抵は金属成形材より成る枠材とから構成されている形式の折り畳み装置特に折り畳みガラス装置を改良して、構造的に見て軽量な外観が得られ、また枠材及び成形材の見える幅が小さいものを提供する。【解決手段】ガイドエレメント（１０）が開き扉（１）の自由な扉縁部（３）で、一方側が開き扉（１）に結合され、かつ他方側が保持エレメント（１３）に結合されたヒンジ（１１）を有しており、自由な扉縁部（３）が保持エレメント（１３）間で、少なくとも保持エレメント（１３）の幅（Ｂ）をガイドレール（８）の外側において覆う、開き扉（１）に対して不動の枠縁成形材（１５，１６）を有している。【選択図】　　　図７
2004003337.tif 000002
【特許請求の範囲】
【請求項１】
開放式の間仕切り又は、冬園、店舗入口、ガラス張りのバルコニー等において空間を閉鎖するための折り畳み装置、特に折り畳みガラス装置であって、装置を開放するために互いに折り畳まれる、少なくとも１つの連鎖で互いに結合された複数の扉を備えており、各扉が、扉の連鎖の内側で、隣接し合う扉と旋回可能に結合されていて、それぞれ一方側で、ガイドエレメント（１０）を介してガイドレール（８）内でスライド可能にガイドされているか、又は側枠でスライド不能しかしながら旋回可能に固定されており、これらの扉の少なくとも１つが開き扉（１）として構成されていて、この開き扉（１）が一方側だけで、隣接する扉と結合されていて、他方側がガイドレール（８）内でガイドされた自由な扉縁部（３）を備えている形式のものにおいて、
ガイドエレメント（１０）が開き扉（１）の自由な扉縁部（３）で、一方側が開き扉（１）に結合され、かつ他方側が保持エレメント（１３）に結合されたヒンジ（１１）を有しており、自由な扉縁部（３）が、保持エレメント（１３）間で、少なくとも保持エレメント（１３）の幅（Ｂ）をガイドレール（８）の外側において覆う、開き扉（１）に対して不動の枠縁成形材（１５，１６）を有していることを特徴とする、折り畳み装置。
【請求項２】
枠縁成形材（１５）が、ヒンジ（１１）が設けられている側と同じ、開き扉（１）の側に配置されていて、反対側に別の枠縁成形材（１６）が配置されている、請求項１記載の折り畳み装置。
【請求項３】
枠縁成形材（１５，１６）が一体的に構成されている、請求項２記載の折り畳み装置。
【請求項４】
枠縁成形材（１５及び／又は１６）が自由な扉縁部（３）と一体的に構成されている、請求項１から３までのいずれか１項記載の折り畳み装置。
【請求項５】
保持エレメント（１３）が、この保持エレメントに結合されたヒンジ（１１′）と一体的に構成されている、請求項１から４までのいずれか１項記載の折り畳み装置。
【請求項６】
保持エレメント（１３）の高さが最大で、ガイドレール（８）に向いたヒンジ部分（１１′）の高さに相当する、請求項１から５までのいずれか１項記載の折り畳み装置。
【請求項７】
保持エレメント（１３）がその平面図（１）で見て枠縁成形材（１５）に相当する枠縁部分（１７）を有している、請求項１から６までのいずれか１項記載の折り畳み装置。
【請求項８】
枠縁成形材（１５，１６）及び／又は枠縁部分（１７）がフレキシブルな部材、特にシールエレメントとして構成されている、請求項７記載の折り畳み装置。
【請求項９】
ガイドレール（８）が一方側で、扉の通過を阻止するストッパ（１８）を有しており、枠縁成形材（１６）がストッパ（１８）の側で、自由な扉縁部（３）に向かって、少なくともストッパ（１８）の高さ（Ａ）だけ面取りされている、請求項１から８までのいずれか１項記載の折り畳み装置。
【請求項１０】
枠縁成形材（１６）の面取り部が、対応するガイドエレメント（１０）のヒンジ軸（１４）からほぼ延びる曲率半径（Ｒ）を有する丸味部によって形成されている、請求項９記載の折り畳み装置。
【請求項１１】
少なくとも１つの枠縁成形材（１６）が、ストッパ側において開口高さ内で、ストッパ（１８）と、このストッパ（１８）に向き合うガイドレール（８）との間、又は両ストッパ間で、枠縁成形材（１６）の面取り部を少なくとも部分的に覆う遮蔽ストリップ材（１９）を有している、請求項８又は９記載の折り畳み装置。
【請求項１２】
遮蔽ストリップ材（１９）が、閉鎖された折り畳み装置において、隣接する開き扉（１）の枠縁成形材（１６）も覆っている、請求項１１記載の折り畳み装置。
【請求項１３】
枠縁成形材（１５，１６）が自由室（２０，２１）を形成しており、該自由室（２０，２１）が、折り畳み装置の開放時に、それまで閉じられていた開き扉（１）が自由な扉縁部（３）へ向かって運動をするのを許容する、請求項１から１２までのいずれか１項記載の折り畳み装置。
【請求項１４】
自由な扉縁部（３）が、自由室（２０，２１）を少なくとも部分的に充填するフレキシブルなシール（２４）を有している、請求項１３記載の折り畳み装置。
【請求項１５】
枠縁成形材（１５，１６）、枠縁部分（１７）及び／又は遮蔽ストリップ材（１７）が、隣接する開き扉（１）又は側枠（２２）に対してシールするためのシール（２６）を有している、請求項１から１４までのいずれか１項記載の折り畳み装置。
【発明の詳細な説明】
【０００１】
【発明の属する技術分野】
本発明は、請求項１の上位概念部に記載した折り畳み装置特に折り畳みガラス装置であって、有利にはガラス板として構成された充填物を収容する、環状に延びる、大抵は金属成形材より成る扉と、開放式の間仕切り又は、冬園（ガラス張りの室内庭園）、店舗入口、ガラス張りのバルコニー等において空間を閉鎖するための、大抵は金属成形材より成る枠材とから構成されている形式のものに関する。
【０００２】
【従来の技術】
基本的にこのような折り畳み装置は、旋回可能及びスライド可能な多数の扉の連鎖を有しており、これによって大抵は大きい正面又は間仕切りをほぼ完全に開放することができる。扉の連鎖内で各扉は、隣接する扉と旋回可能に結合されているが、一方側がガイドレール内でスライド可能にガイドされている。１つの扉の連鎖のそれぞれ外側の扉は、開き扉として一方側が隣接する別の扉に結合されているか、又は一方側が旋回可能に大抵はスライド不能に側枠に固定されている。開き扉が単独の扉であれば、この開き扉は純粋に片開き扉として構成することができ、この場合、隣接する扉に結合された側がガイドレール内でガイドされており、これに対して、自由な扉縁部は、ガイドレールと側枠とによって形成された平面から出る方向に旋回する。
【０００３】
冒頭に述べた形式の折り畳み装置において、開き扉が２重扉いわゆるペア扉の部分であれば、この開き扉はその自由な扉縁部がガイドレール内でガイドされるようになっていなければならない。構造的な前提条件のために、ガイドレール内でガイドするために用いられるガイドエレメントの折り畳み軸若しくは旋回軸は、扉の連鎖内で左右対称に、旋回可能に結合された２つの扉間に配置されている。扉間に、機能のために必要な結合金具部分が配置されているので、ここで閉鎖状態において隙間スペースが形成され、この隙間スペースは、建物のシール性及び保温の要求を満たすために、シールによって閉鎖されている。ガイドエレメントが開き扉の自由な扉縁部に配置される場合、ガイドエレメントは、扉縁部に対して、扉の連鎖の内側に配置される場合と同じ間隔で配置されていて、従って自由な扉縁部を越えて突き出している。隣接する扉又は枠に対して滑らかな閉鎖を可能にするために、開き扉の自由な扉縁部、いわゆる両開き扉の閉鎖部に、一般的に、ガイドレール間に形成された枠平面内に存在する支柱がスライド可能に結合される。この支柱は、いわば枠幅に縮小された幅を有する１つの別の扉を形成することになる。
【０００４】
前記折り畳み装置は、もっぱら折り畳みガラス装置として構成されているので、できるだけ高い透明性、つまり枠及び成形材の見える幅をできるだけ小さくする必要がある。しかしながらこれまで使用されていた支柱は、垂直な成形材の外観幅（Ａｎｓｉｃｈｔｓｂｒｅｉｔｅ；目に見える幅）をこの位置において大きくしており、これは建築家及び設計者にも、また最終消費者及びユーザーにおいても望まれていることではない。特にペア扉の２つの開き扉が互いに突き当たるように成っている場合には、２つの付加的な支柱による見える幅は不都合である。
【０００５】
【発明が解決しようとする課題】
そこで本発明の課題は、冒頭に述べた形式の折り畳み装置を改良して、構造的に見て軽量な外観が得られ、また枠及び成形材の外観幅が小さいものを提供することである。
【０００６】
【課題を解決するための手段】
この課題を解決した本発明によれば、ガイドエレメントが、開き扉の自由な扉縁部で一方側が開き扉に結合され、かつ他方側が保持エレメントに結合されたヒンジ（丁番）を有しており、自由な扉縁部が、保持エレメント間で、少なくとも保持エレメントの幅をガイドレールの外側において覆う、開き扉に対して不動の枠縁成形材を有している。
【０００７】
【発明の効果】
ガイドエレメントが、単数又は複数の開き扉の自由な扉縁部において、自由な側で保持エレメントを有するヒンジを備えて構成されていて、保持エレメント間に形成された中間室が、少なくとも１つの、開き扉に堅固に結合された枠縁成形材によってカバーされていることによって、従来の支柱を省くことができる。２つの開き扉の自由な扉縁部の結合は、複数の保持エレメントだけを介して行うことができる。これらの保持エレメントは、問題なしに、形状安定性を損なうことなしに非常に低い高さで構成することができる。保持エレメントの側方に突き出す幅も、従来の支柱よりも著しく小さく構成することができるので、開き扉に取り付けられた枠縁成形材も、非常に小さい外観幅を有している。枠縁成形材は、扉を開放時に開き扉と共に旋回せしめられることによって、開放した状態で外観幅はさらに減少される。
【０００８】
できるだけ細い構造は、保持エレメントが、これらの保持エレメントに結合されたガイドエレメントのヒンジ部分と一体的に構成されていることによって得られる。
【０００９】
有利には、開き扉の扉縁部のヒンジ側も、このヒンジ側とは反対側も、枠縁成形材を有しており、これらの枠縁成形材は、互いに及び／又は扉縁部と一体的に構成することができる。
【００１０】
【発明の実施の形態】
本発明のその他の利点及び詳細は、従属請求項並びに図示の実施例に記載されている。
【００１１】
図１のａは、２つのペア扉を備えた４扉式の折り畳み装置が示されている。この装置の開放は、図１ｂ〜図１ｅにピクトグラム（Ｐｉｋｔｏｇｒａｍｍ；絵文字）で概略的に示されている。この場合、開き扉１の自由な扉縁部３は、図示していないガイドレール間に形成された破線で示された平面４内に存在する。
【００１２】
図２には、開き扉１の２つの自由な縁部３によって形成された、折り畳み装置のペア扉の突き合わせ箇所における互いに隣接し合う下部中央領域が示されている。この実施例では折り畳み装置は、図２の観察者側に向かって内方に開くようになっている。開き扉１は、扉枠５内に嵌め込まれた２重板ガラス７より成っている。扉は、上部及び下部でガイドレール８内でスライドするようにガイドされている。以下に図面を用いて幾つかの実施例について説明する。
【００１３】
本発明の構成は、図６以降に示されている。本発明の構成は、ガイドエレメント１０がヒンジ１１を有していて、このヒンジ１１が一方側で、従来の固定装置を介して開き扉１に結合されていて、他方側が、扉が開いている時でもガイドレール１２内に存在する保持エレメント１３に結合されている。保持エレメント１３は、扉枠５に沿って部分的に延びていて、かつ横方向でヒンジ１１の軸１４を越えて突き出しているので、開き扉１は、少なくとも保持エレメント１３の領域Ｂを覆う枠縁成形材１５，１６を有している。一方の枠縁成形材１５は保持エレメント１３の脇で上下の保持エレメント１３間の領域内に延びており、これに対して他方の枠縁成形材１６は、これとは反対側で開き扉１の全高さに亘って延びている。２つの枠縁成形材１５，１６は、開き扉１に相対的に不動に結合されているので、これらの枠縁成形材は、開き扉の開閉時に開き扉と一緒に旋回運動を行う（図８ａ〜図８ｃ参照）。これに対して保持エレメント１３は、ガイドレール８間の平面４内に留まっている。従って保持エレメント１３は有利には、わずかな高さ寸法しか有していない。保持エレメント１３の高さ寸法は、有利には構造的に簡単な形式で、ガイドレール８に向いたヒンジ部分１１′の高さＨに相当する。できるだけ調和のとれた外観を得るために、保持エレメント１３の高さは最大でも、扉枠５の高さｈと同じである。特にコンパクトで従って有利な実施例によれば、保持エレメント１３は、この保持エレメント１３に結合されたヒンジ部分１１′と一体的に構成されている。
【００１４】
保持エレメント１３が、その基本的な形状において、方向ｉから見た平面図で、枠縁成形材１５に合致している限りは、視覚的に一体的な構成を得るために、相応に枠縁成形材１５に合致した枠縁部分１７を有していなければならない。
【００１５】
この枠縁部分１７も保持エレメント１３と共に、図３及び図４に示されているように、扉の開放時にガイドレール８の平面４内に留まっている。
【００１６】
侵入に対する防護及びすき間風シール性を改善するために、折り畳み装置は特に図５及び図６に示したような隆起したストッパ１８を有しており、このストッパ１８は、ガイドレール８の、開放側とは反対側に配置されていて、扉の通過を妨げるようになっている。開放時にガイドエレメントヒンジ１１の中心軸１４を中心にして旋回する開き扉１は、その枠縁成形材１６がストッパ１８とぶつからないようにするために、枠縁成形材１６は自由な扉縁部１３に向かって少なくともストッパ１８の領域内で、つまりストッパ１８の高さＡに亘って面取りされている。有利にはこの面取りは、図示の実施例におけるように、対応するガイドエレメント１０のヒンジ軸１４から延びる曲率半径Ｒを有する丸味部によって形成されている。ストッパ１８の側のこの形状を視覚的にできるだけ目立たないように構成するために、少なくとも枠縁成形材１６は、ストッパ１８と、このストッパ１８に向き合う図示していないガイドレール若しくは第２のストッパ（これが設けられている場合には）との間の内法開口高さ内で遮蔽ストリップ材１９を有しており、この遮蔽ストリップ材１９は、面取り部若しくは丸味部を少なくとも部分的に覆っている。この遮蔽ストリップ材１９は侵入に対する防護性をさらに高める。何故ならばこの遮蔽ストリップ材１９は、侵入道具のための手がかりとなる箇所を覆うからである。しかもこの遮蔽ストリップ材１９は、すき間風シール性も改善する。図５には、ストッパ１８の側から見た遮蔽ストリップ材１９が示されている。図１〜図８に示した実施例におけるように２つの開き扉１が互いに突き合わされるようになっている限り、遮蔽ストリップ材１９は、１つの開き扉１だけに設けられていて、隣接する開き扉１の枠縁成形材１６も覆う程度に幅広く構成されていれば有利である。
【００１７】
図示の折り畳み装置はその最大幅が、交互に内側及び外側に配置されたヒンジ装置によって、完全に閉じた状態（図７参照）において得られるのではなく、やや開いた状態（図８ａ参照）で、しかもヒンジ１１が一直線上にある時に得られるようになっている。従って装置の開放時に、扉の連鎖（Ｆｌｕｅｇｅｌｋｅｔｔｅ；鎖状に連なっている複数の扉）は、実際の開放が得られる前に、まずやや幅広くなる。このような開放時における幅の広がりは、不都合な運動経過と言われている。何故ならばこの運動経過は、まず本来の開放方向に抗して行われるからである。このような不都合な運動経過を補償することができるようにするために、本発明による装置の枠縁成形材１５，１６は、自由室２０，２１を有しており、この自由室２０，２１は、それまで閉じていた開き扉１が自由な扉縁部３に向かって運動するのを許容するようになっている。これによって、開放しようとするペア扉は隣接する扉への自由室２０，２１内に侵入することができる。開き扉１が側枠２２（図１０参照）にも設けられていれば、扉を侵入させるために必要な自由室は側枠２２内にも設けることができる。
【００１８】
この自由室２０，２１が設けられているにも拘わらず、折り畳み装置のすき間風シール性を保証するために、少なくとも１つの枠縁成形材１５，１６に、自由室２０，２１を少なくとも部分的に充填するフレキシブルなシール２４を設ければ有利である。図７及び図８に示した実施例においては、２つの開き扉１がゴムシール２４を有しており、これらのゴムシール２４は、扉の開放時に図８ａに示したように変形して、不都合な運動経過を相応に補償するようになっている。ガイドエレメント１０に向いた側の枠縁成形材１５と枠縁部分１７と遮蔽ストリップ材１９とは、隣接する開き扉１又は側枠２２に対して、有利にはブラシシール２６を介してシールされている。枠縁成形材１５，１６及び／又は枠縁部分１７自体もフレキシブルで、特にシールエレメントとして構成されていてよい。
【００１９】
図９及び図１０には本発明の別の実施例が示されており、この別の実施例において、ペア扉１が側枠２２に突き当たるようになっており（図９参照）、またペア扉１と片開き扉２とが突き合わせられるようになっている（図１０参照）。対応する部材には、この図面では図１〜図８におけるのと同じ符号が付けられている。
【００２０】
図９ａには、図１と同様のピクトグラムで、４扉式の装置の開放状態が概略的に示されている。この装置は、ペア扉１が側枠２２に突き合わせられるようになっている。図９ｂには、側枠２２及び隣接する開き扉１の断面図が示されている（図７に示された別の構成の断面図に相当する）。図９ｃ及び図９ｄは、やや開放された状態が示されている（図８ａ及び図８ｃの断面図に相当する）。この構成において開き扉１は、内側の枠縁成形材１５と枠縁部分１７だけを有している。外側の枠縁成形材は省くことができ、側枠２２に、遮蔽ストリップ材１９に相当する遮蔽ストリップ材１９′が設けられている。図面を簡単にするために、図９ｃにはフレキシブルなシール２４が重なって示されている。実際には、このシールリップ２４は勿論、図１〜図８に示した実施例におけるのと同様に変形する。
【００２１】
図１０ａは５扉式の折り畳み装置が示されており、この実施例においては、開口領域で１つのペア扉１と１つの片開き扉２とが互いに突き合わせられるになっている。図１０ｂに開口領域Ｘｂの横断面図が示されている（図７及び図９ｂに相当する）。この折り畳み装置の開放状態についてはそれ以上示されていない。何故ならばペア扉１と片開き扉２との突き合わせは、原則として、まず片開き扉がその取手２７を操作することによって、図１０ａに示されているように旋回せしめられる。図１０ａ及び図１０ｂに示した実施例では、ペア扉１と片開き扉２との間の内側の隙間は、シールリップ２９を備えた片開き扉成形材の相応の拡張部２８によって覆われているので、ペア扉若しくは開き扉１の枠縁成形材１５は、この実施例では細く構成されていてよい。保持エレメント１３の幅Ｂを全部に亘って完全に覆う必要はない。
【００２２】
本発明による折り畳み装置は、すべての構造形式において、構造的に軽量な外観を有していて、しかも高い形状安定性を有しており、また折り畳みガラス装置においては高い透明性を有し、ひいては枠及び成形材の外観幅が小さく構成されていることを特徴としている。開放時には、枠縁成形材１５，１６並びに遮蔽ストリップ材１９を開き扉１と共に旋回するようになっており、従来の装置におけるように支柱を平面１４に設置することはない。構造高さの低い保持エレメント１３だけが、ガイドレール８との接続を形成している。しかしながらこの保持エレメントは、その低い構造高さのために、装置の視覚的な透明性を妨げることはない。
【図面の簡単な説明】
【図１】ａは、４扉式の折り畳み装置の閉鎖した状態の外から見た概略図、ｂは閉鎖した状態の概略的な断面図、ｃ，ｄ，ｅは、それぞれ異なる開放状態の断面図である。
【図２】図１の符号ＩＩで示した中央下の領域の詳細を示す部分的な斜視図である。
【図３】図２の符号ＩＩＩで示した箇所の拡大図である。
【図４】図３の位置から扉がやや開かれた状態を示す断面図である。
【図５】図３の矢印Ｖ方向で反対側から見た図である。
【図６】図２の符号ＶＩで示した箇所の拡大図である。
【図７】図２のＶＩＩ−ＶＩＩ線に沿った断面図である。
【図８ａ】図７の状態から扉をやや開放した状態を示す断面図である。
【図８ｂ】図８ａの状態から扉をさらに開放した状態を示す断面図である。
【図８ｃ】図８ｂの状態から扉をさらに開放した状態を示す断面図である。
【図９ａ】４扉式の折り畳み装置の閉鎖した状態の外から見た概略図、並びにこの折り畳み装置をアコーディオン式に折り畳む状態を示した概略図である。
【図９ｂ】図７に対応する断面図である。
【図９ｃ】図９ｂの状態から扉をやや開放した状態を示す断面図である。
【図９ｄ】図９ｃの状態から扉をさらに開放した状態を示す断面図である。
【図１０ａ】片開き扉に突き合わせられるペア扉を備えた別の実施例による折り畳み装置の概略図である。
【図１０ｂ】図７に対応する断面図である。
【符号の説明】
１　開き扉、　２　片開き扉、　３　扉縁部、　４　平面、　５　扉枠、　７２重板ガラス、　８　ガイドレール、　１０　ガイドエレメント、　１１　ヒンジ、１１′ヒンジ部分、　１２　固定部材、　１３　保持エレメント、　１４軸、　１５，１６　枠縁成形材、　１７　枠縁部分、　１８　ストッパ、　１９　遮蔽ストリップ材、　１９′　遮蔽成形材２０　自由空間、　２２　側枠、２４　ゴムシール、　２６　ブラシシール　２７　取っ手、　２８　拡張部、２９　シールリップ
【図１】
2004003337.tif 000003
【図２】
2004003337.tif 000004
【図３】
2004003337.tif 000005
【図４】
2004003337.tif 000006
【図５】
2004003337.tif 000007
【図６】
2004003337.tif 000008
【図７】
2004003337.tif 000009
【図８ａ】
2004003337.tif 000010
【図８ｂ】
2004003337.tif 000011
【図８ｃ】
2004003337.tif 000012
【図９ａ】
2004003337.tif 000013
【図９ｂ】
2004003337.tif 000014
【図９ｃ】
2004003337.tif 000015
【図９ｄ】
2004003337.tif 000016
【図１０ａ】
2004003337.tif 000017
【図１０ｂ】
2004003337.tif 000018